(57)【要約】【課題】お腹の出た人でも、腹部の圧迫がなく、ソフトな着用感で、かつ、ズレ落ちなく、また、シルエットも美しい下半身衣類を提供すること。【解決手段】前後の身頃ａ、ｂと、この身頃ａ、ｂの上部全周に亘って設けられる腰ゴムｃとを有する下半身衣類１において、前身頃ａ側の股上が浅く設定され、かつ、前後の身頃ａ、ｂに対する腰ゴムｃの設置ラインが、後身頃ｂ側では腰骨相当位置付近に設定され、前身頃ａ側では両側脇部ｄから前身頃ａ中央に向けて下向き凸の湾曲ラインに設定されている。【選択図】図１
2009097110.tif 000002
【特許請求の範囲】
【請求項１】
前後の身頃と、この身頃の上部全周に亘って設けられる腰ゴムとを有する下半身衣類において、前身頃側の股上が浅く設定され、かつ、前後の身頃に対する腰ゴムの設置ラインが、後身頃側では腰骨相当位置付近に設定され、前身頃側では両側脇部から前身頃中央に向けて下向き凸の湾曲ラインに設定されていることを特徴とする下半身衣類。
【請求項２】
前記下半身衣類は、前身頃が、股下から両側の大腿部付け根のラインに沿って両側脇部の腰ゴムに向けて斜め上に至る略Ｖ形の境界に沿って内外に区分され、該境界の内側領域の緊締力が外側領域の緊締力よりも弱く設定されていることを特徴とする請求項１に記載の下半身衣類。
【請求項３】
前記下半身衣類は、前後の身頃が、左右に分割され後部中央で縦方向に沿って縫着された左右一対の脇身頃と、左右一対の脇身頃の前部中央で縦方向に沿って縫着されたマチ部と、前記脇身頃の下部に両側内股部に跨って縫着されたシック部とよりなり、前記左右一対の脇身頃は、股下から両側の大腿部付け根のラインに沿って両側脇部の腰ゴムに向けて斜め上に至る略Ｖ形の境界に沿って内外に区分されて構成されていることを特徴とする請求項１に記載の下半身衣類。
【請求項４】
前記略Ｖ形の境界に沿って縫目が形成され、該境界の内側領域の緊締力が外側領域の緊締力よりも弱く設定されていることを特徴とする請求項３に記載の下半身衣類。
【請求項５】
前記マチ部は、着用者の局部を被覆する部分に対応して縦長形状とされ、その中央下部が前方に立体的に膨出形成されていることを特徴とする請求項３に記載の下半身衣類。
【請求項６】
前記腰ゴムは、経編細幅ストレッチレースで構成されていることを特徴とする請求項１〜５の何れかに記載の下半身衣類。
【発明の詳細な説明】
【技術分野】
【０００１】
本発明は、主として男性用の下半身衣類の着用性改善に関するものである。
【背景技術】
【０００２】
従来、一般的なトランクスタイプのパンツは、腰ゴムの伸縮性によりズレ下がらないように身体に固定し、その他の身頃部分は緩やかに体表面を覆うのみであり、締付感のない履き心地から愛用者が多い。
また、ブリーフタイプのパンツ程ではないが、ある程度フィット感を持たせるため、ニット生地からなるトランクスタイプのパンツ（ニットトランクス、ニットボクサーパンツなど）が知られている。
従来、これらのパンツにおいて、その腰ゴムは、身体の側部の腰骨付近に位置し、また全周についてほぼ水平にその位置に設けられている。
【０００３】
そのため、例えば、加齢による体型変化でお腹が出ている体型の人が、上記のようなパンツを履くと、丁度、腹部の頂上部周辺に腰ゴムが当接することになるため（図３の鎖線参照）、腹部などへの圧迫が強くなる上、腰ゴムのズレ下がりや捲れが発生し、見栄えが低下し、シルエットも悪くなり、また装着感も悪化させていた。
そのため、従来より、ズレ下がり防止形状のパンツ（例えば、特許文献１、２）が提案されている。
【特許文献１】実開平０２−４２００５号公報
【特許文献１】実開平０５−９６００２号公報
【発明の開示】
【発明が解決しようとする課題】
【０００４】
特許文献１は、前身頃の胴回りを上に凸の曲線にすることでズレ落ち防止を図っている。即ち、腹部の頂上部より上に胴回りを持ってくることでズレ落ちを防止しているが、これであると、腰ゴムによって腹部の頂上部を圧迫することは回避されるが、腰ゴムの下側の前身頃生地で腹部の頂上部とその上下両側の部分を含む広い範囲に亘って腹部を圧迫することになり、また、それによりシルエットも不自然なものになる点で問題があった。
特許文献２は、胴回り周縁部の腹部側を適宜大きさに切り欠きすることで、腹部を締め付ける部分をなくすようにしたものである。これであると、確かに腹部への圧迫はないが、切除部に締付け部（腰ゴム）がなく、後身頃及び両側部にだけ腰ゴムを設けているため、前後身頃の締付バランスが違い、両手で履き口を広げて履く際、前身頃側は伸びず後身頃側だけが伸びることになって違和感があり、履き口を広げにくく、その結果、履きにくく、その上、前後の身頃生地に不均一なテンションがかかることになり、履いたときのシルエットも前後で不調和なものとなる点で問題があった。
【０００５】
本発明は、従来の下半身衣類の上記問題点に鑑みて開発されたもので、その目的とするところは、お腹の出た人でも、腹部の圧迫がなく、ソフトな着用感で、かつ、ズレ落ちなく、また、シルエットも美しい下半身衣類を提供することにある。
【課題を解決するための手段】
【０００６】
前記目的を達成するために本発明は、前後の身頃と、この身頃の上部全周に亘って設けられる腰ゴムとを有する下半身衣類において、前身頃側の股上が浅く設定され、かつ、前後の身頃に対する腰ゴムの設置ラインが、後身頃側では腰骨相当位置付近に設定され、前身頃側では両側脇部から前身頃中央に向けて下向き凸の湾曲ラインに設定されていることを特徴としている。
この構成によれば、前身頃側における腰ゴムの装着位置が、腹部の頂上部よりも下側の位置となり、お腹の出た人でも、腹部の圧迫がなく、ソフトな着用感で、かつ、ズレ落ちなく、また、美しいシルエットも確保することができる。
【０００７】
また、前記下半身衣類は、前身頃が、股下から両側の大腿部付け根のラインに沿って両側脇部の腰ゴムに向けて斜め上に至る略Ｖ形の境界に沿って内外に区分され、該境界の内側領域の緊締力が外側領域の緊締力よりも弱く設定されていることを特徴としている。
この構成によれば、前身頃の中央部における略Ｖ形の境界の内側となる局部及び大腿付け根とウエスト部の間の領域の締め付けを弱くすることで、下腹部の圧迫を緩和し、座ったときなどのソケイ部の締め付けを少なくすることができ、また、前記略Ｖ形の境界の外側となる大腿部などの領域の締め付けを比較的強くすることで美しいシルエットを形成させることができる。
【０００８】
また、前記下半身衣類は、前後の身頃が、左右に分割され後部中央で縦方向に沿って縫着された左右一対の脇身頃と、左右一対の脇身頃の前部中央で縦方向に沿って縫着されたマチ部と、前記脇身頃の下部に両側内股部に跨って縫着されたシック部とよりなり、前記左右一対の脇身頃は、股下から両側の大腿部付け根のラインに沿って両側脇部の腰ゴムに向けて斜め上に至る略Ｖ形の境界に沿って内外に区分されて構成されていることを特徴としている。
この構成によれば、下半身衣類の前部中央や左右両側の足口部に対する立体的な縫製が容易となり、しかも、前身頃側の腹部の締付力を前記略Ｖ形の境界で区分して設定することが容易となる。
【０００９】
また、前記略Ｖ形の境界に沿って縫目が形成され、該境界の内側領域の緊締力が外側領域の緊締力よりも弱く設定されていることを特徴としている。
この構成によれば、足の付け根に沿って縫目によりくびれを形成することでシルエットが良くなり、かつ、足の動きを妨げることがない。また、局部及び大腿付け根とウエスト部の間の領域（境界の内側）の締め付けを弱くすることで、下腹部の圧迫を緩和し、座ったときなどのソケイ部の締め付けも少なくすることができる。その反面、大腿部などの領域（境界の外側）の締め付けを比較的強くすることで美しいシルエットを形成させることができる。
【００１０】
また、前記マチ部は、着用者の局部を被覆する部分に対応して縦長形状とされ、その中央下部が前方に立体的に膨出形成されていることを特徴としている。
この構成によれば、局部を締め付けないで美しいシルエットを形成させることができる。
また、前記腰ゴムは、経編細幅ストレッチレースで構成されていることを特徴としている。
この構成によれば、腹部の圧迫を小さくし、ズボンやベルトなど重ねて着てもゴロツキ感を少なくすることができる。
【発明の効果】
【００１１】
本発明によれば、お腹の出た人でも、腹部の圧迫がなく、ソフトな着用感で、かつ、ズレ落ちなく、また、シルエットも美しい下半身衣類を提供することができる。
【発明を実施するための最良の形態】
【００１２】
以下、本発明に係る下半身衣類の実施形態を図面に基づいて説明する。なお、図面は、トランクス型に適用した実施形態を示している。
本発明に係る下半身衣類１は、図１〜図３に示すように、前後の身頃ａ、ｂと、この身頃ａ、ｂの上部全周に亘って設けられる腰ゴムｃとを有し、前身頃ａ側の股上（股下からウエスト部までの寸法）が浅く設定され、かつ、前後の身頃ａ、ｂに対する腰ゴムｃの設置ラインが、後身頃ｂ側では腰骨相当位置付近に設定され、前身頃ａ側では両側脇部ｄから前身頃ａ中央に向けて下向き凸の湾曲ラインに設定されている。
【００１３】
前記下半身衣類１は、前後の身頃ａ、ｂが、図１、図２及び図４、図５に示すように、左右に分割され後部中央で縦方向に沿って縫着された左右一対の脇身頃２、３と、左右一対の脇身頃２、３の前部中央で縦方向に沿って縫着されたマチ部４と、前記脇身頃２、３の下部に両側内股部に跨って縫着されたシック部５とよりなり、前記左右一対の脇身頃２、３は、股下から両側の大腿部付け根のラインに沿って両側脇部ｄの腰ゴムｃに向けて斜め上に至る略Ｖ形の境界６に沿って内外に区分されて構成されている。
前記左右一対の脇身頃２、３の略Ｖ形の境界６で内外に区分された本体部２ａ、３ａと、脇身頃上部２ｂ、３ｂが、前記境界６に沿って縫着された縫目６ａを形成しており、しかも、内側の本体部２ａ、３ａの緊締力が外側の脇身頃上部２ｂ、３ｂの緊締力よりも弱く設定されている。
【００１４】
前記左右一対の脇身頃２、３は、図４に示すように、縦方向に伸びる前縁２ｃ、３ｃ及び後縁２ｄ、３ｄと、横方向に伸びる上縁２ｅ、３ｅ及び下縁２ｆ、３ｆと、前縁２ｃ、３ｃの下部付近から上縁２ｅ、３ｅの後部付近までほぼ斜めに裁断された傾斜縁２ｇ、３ｇと、後縁２ｄ、３ｄの下半部から下縁２ｆ、３ｆに円弧状に切り欠いた円弧状切り欠き縁２ｆ’、３ｆ’とよりなる略１／４円弧状の本体部２ａ、３ａと、この本体部２ａ、３ａの傾斜縁２ｇ、３ｇに対応する傾斜縁２ｈ、３ｈと、縦方向に伸びる前縁２ｉ、３ｉと、横方向に伸びる上縁２ｊ、３ｊとよりなる略三角形状の脇身頃上部２ｂ、３ｂとで構成されている。
【００１５】
本体部２ａ，３ａと脇身頃上部２ｂ、３ｂとは、左右対称形状とされており、互いの傾斜縁２ｇ、３ｇ及び２ｈ、３ｈを縫着して前記境界６が形成されていると共に、前縁２ｃ、３ｃ及び２ｉ、３ｉが縦方向に連続してマチ部４の下半部に図１に示すように縫着され、上縁２ｅ、３ｅ及び２ｊ、３ｊも横方向に連続して、腰ゴムｃが取り付けられる。また、後縁２ｄ、３ｄは、図５に示すように後身頃ｂの中央部で図２に示すように相互に直接縫着されている。
前記マチ部４は、着用者の局部を被覆する部分に対応して縦長形状とされ、その中央下部４ａが前方に立体的に膨出形成されている。このマチ部４は、図６（Ａ）に示すように、縦長長方形の下部が両側へ二股状に分岐した２枚の対称形状の生地４ｂ、４ｂを図６（Ｂ）に示すように、中央で２つ折りして、その折り返し部４ｃ、４ｃを図６（Ｃ）に示すように、縫着４ｄすることによって、その中央下部４ａが前方に立体的に膨出した形状を形成させている。
【００１６】
前記シック部５は、図４、図５に示すように、大円弧縁５ａと、小円弧縁５ｂと、左右両側縁５ｃ、５ｄとからなる略扇形状とされ、その大円弧縁５ａが、図２に示すように、後身頃ｂ側で左右一対の脇身頃２、３の下部の円弧状切り欠き縁２ｆ’、３ｆ’に縫着され、小円弧縁５ｂが、図１に示すように、前身頃ａ側で左右一対の脇身頃２、３の下部の下縁２ｆ、３ｆの前身頃ａ側に近付けて縫着されて、この下縁２ｆ、３ｆの残りと左右両側縁５ｃ、５ｄとによって両側の足口部７、８が立体的に形成されている。小円弧縁５ｂの中央部には、凹円弧状切り欠き部５ｅが形成されており、この部分は図１に示すように、マチ部４の下部に縫着されている。
【００１７】
前記左右一対の脇身頃２、３の本体部２ａ、３ａは、本実施形態では、ポリエステル６０％、綿４０％のフライス生地で構成されている。また、脇身頃上部２ｂ、３ｂと、マチ部４及びシック部５は、上記と同素材で、緊締力を弱くするために、上記生地から糸抜き（間引き）されたフライス生地で構成されている。
前記腰ゴムｃは、経編細幅ストレッチレースで構成されている。この経編細幅ストレッチレースとしては、本実施態様では、ナイロン５０％、ポリエステル３０％、レーヨン１０％、ポリウレタン１０％の構成からなり、厚さ約１ｍｍで着用圧が約７〜９ｈｐａのラッセルゴムが使用されている。このラッセルゴムを含めて経編細幅ストレッチレースを腰ゴムｃに使用すると、通常使用される織ゴム（例えば、厚さ約２ｍｍで締付力が約１４〜１６ｈｐａとされている）に比べて、薄くて締め付けが小さい特長がある。そのため、腹部の圧迫を小さくし、ズボンやベルトの重なるウエスト部のゴロツキ感を少なくし、シルエットを美しく保持させることができる。なお、上記着用圧は、エアパックによる圧力測定装置（（株）エイエムアイ・テクノ製組込型圧力センサ「パラソル型エアパック」）を用いて測定した。
【００１８】
本発明に係る下半身衣類１の実施形態の構成は、以上であって、次にその機能を説明する。
本発明に係る下半身衣類１は、図１〜図３に示すように、前後の身頃ａ、ｂと、この身頃ａ、ｂの上部全周に亘って設けられる腰ゴムｃとを有し、前身頃ａ側の股上（股下からウエスト部までの寸法）が浅く設定され、かつ、前後の身頃ａ、ｂに対する腰ゴムｃの設置ラインが、後身頃ｂ側では腰骨（腸骨稜点）相当位置付近に設定され、前身頃ａ側では両側脇部ｄから前身頃ａ中央に向けて下向き凸の湾曲ラインに設定されているため、前身頃ａ側における腰ゴムｃの装着位置が、腹部頂上部より下側で後身頃ｂ側より約５ｃｍ程度下がった腹部と局部の間（恥骨上部）を通る位置（図３参照）となり、お腹の出た人でも、腹部の圧迫がなく、ソフトな着用感で、かつ、ズレ落ちなく、また、美しいシルエットも確保することができる。
【００１９】
また、前記下半身衣類１は、前後の身頃ａ、ｂが、左右に分割され後部中央で縦方向に沿って縫着された左右一対の脇身頃２、３と、左右一対の脇身頃２、３の前部中央で縦方向に沿って縫着されたマチ部４と、前記脇身頃２、３の下部に両側内股部に跨って縫着されたシック部５とよりなり、前記左右一対の脇身頃２、３は、股下から両側の大腿部付け根のラインに沿って両側脇部の腰ゴムｃに向けて斜め上に至る略Ｖ形の境界６に沿って内外に区分されて構成されているため、下半身衣類１の前部中央や左右両側の足口部７、８に対する立体的な縫製が容易となり、しかも、前身頃ａ側の腹部の締付力を前記略Ｖ形の境界６で区分して設定することが容易となる。
【００２０】
また、前記左右一対の脇身頃２、３の略Ｖ形の境界６で内外に区分された生地が、前記境界６に沿って縫着された縫目６ａを形成しており、しかも、内側の生地の緊締力が外側の生地の緊締力よりも弱く設定されているため、足の付け根に沿って縫目６ａによりくびれを形成することでシルエットが良くなり、かつ、足の動きを妨げることがない。また、局部及び大腿付け根とウエスト部の間の領域（境界の内側）の締め付けを弱くすることで、下腹部の圧迫を緩和し、座ったときなどのソケイ部の締め付けも少なくすることができる。その反面、大腿部などの領域（境界の外側）の締め付けを比較的強くすることで美しいシルエットを形成させることができる。
【００２１】
また、前記マチ部４は、着用者の局部を被覆する部分に対応して縦長形状とされ、その中央下部が前方に立体的に膨出形成されているため、局部を締め付けないで美しいシルエットを形成させることができる。
また、前記シック部５は、略扇形状とされ、その大円弧縁５ａが後身頃ｂ側で左右一対の脇身頃２、３の下部に縫着され、小円弧縁５ｂが前身頃ａ側で左右一対の脇身頃２、３下部に縫着されて両側の足口部７、８が立体的に形成されているため、左右一対の脇身頃２、３の下部にシック部５を縫着することによって内股部を形成すると同時に両側の足口部７、８を立体的に形成することができる。
【００２２】
また、前記腰ゴムｃは、経編細幅ストレッチレースで構成されているため、腹部の圧迫を小さくし、ズボンやベルトなど重ねて着てもゴロツキ感を少なくすることができる。
本発明に係る下半身衣類の実施形態は、以上であるが、本発明は、この実施形態にのみ制約されるものではなく、種々変形して実施することができる。例えば、後身頃ｂの周縁は従前と同じであり、前身頃ａの周縁は従前の腰ゴムラインより下げて腹部と局部の間（恥骨上部）を通る腰ゴムラインにして前身頃を浅めとする。また、マチ部４は、女性用に適用する場合では省略してもよい。さらに、トランクス型に限らず、ブリーフ型その他に適用可能である。さらに、図面の実施形態は、下半身衣類１を各部分に裁断して縫製仕上げした場合について例示したが、これに限らず、一連にシームレス状態で編成する場合にも適用することができる。この場合では、前記下半身衣類１は、前身頃ａが、股下から両側の大腿部付け根のラインに沿って両側脇部の腰ゴムに向けて斜め上に至る略Ｖ形の境界６に沿って内外に区分され、該境界６の内側領域の緊締力を外側領域の緊締力よりも弱く設定して丸編機などにより一連に編成すればよい。
【図面の簡単な説明】
【００２３】
【図１】本発明に係る下半身衣類の概略正面図である。
【図２】本発明に係る下半身衣類の概略背面図である。
【図３】本発明に係る下半身衣類の着用状態の概略側面図である。
【図４】本発明に係る下半身衣類の正面側から見た生地の分解状態の展開図である。
【図５】本発明に係る下半身衣類の背面側から見た生地の分解状態の展開図である。
【図６】（Ａ）（Ｂ）（Ｃ）は、マチ部の製作工程の説明図である。
【符号の説明】
【００２４】
ａ    前身頃
ｂ    後身頃
ｃ    腰ゴム
ｄ    両側脇部
１    下半身衣類
２、３    左右一対の脇身頃
４    マチ部
５    シック部
６    略Ｖ形の境界
７、８    足口部
【図１】
2009097110.tif 000003
【図２】
2009097110.tif 000004
【図３】
2009097110.tif 000005
【図４】
2009097110.tif 000006
【図５】
2009097110.tif 000007
【図６】
2009097110.tif 000008